(57)【要約】      （修正有）【課題】メモリ装置の挿入または繰り出しによる破損を防止でき、複数の異なる方法、規格のメモリ装置を整合し変換接続可能な引出し式記憶装置コネクタの提供。【解決手段】ケース体、電気回路板３０、１つ以上の端子組４０及び引き出し５０を含み、ケース体は引き出し溝６１および複数の電気導通片窓６２の相対位置に電気導通片を設け端子組４０は、その一端は引き出し溝６１内部に設け他端は電気回路板３０と電気接続し、引き出し５０は引き出し溝６１に設け該引き出し５０に１つ以上のメモリ装置と端子組と組み合わせるための固定スロットを設けた引き出し式メモリ装置コネクタ１０。【選択図】図２
0003123701.tif 000002
【実用新案登録請求の範囲】
【請求項１】
ケース体、電気回路板、一つ以上の端子組及び引き出しを含み、
ケース体は引き出し溝および複数の電気導通片窓を設け、
電気回路板はケース体内部に設け、電気導通片窓の相対位置に電気導通片を設け、
端子組はその一端は引き出し溝内部に設け、他端は電気回路板と電気接続し、
引き出しは引き出し溝に設け、該引き出しに一つ以上のメモリ装置と端子組と組み合わせるための固定スロットを設けることを特徴とする一種の引出し式メモリ装置コネクタ。
【請求項２】
ケース体に上蓋およびこの上蓋が被せるための下蓋を設けることを特徴とする、請求項１記載の引出し式メモリ装置コネクタ。
【請求項３】
上蓋と下蓋はプラスチック材を使用することを特徴とする請求項２記載の引出し式メモリ装置コネクタ。
【請求項４】
上蓋は金属材を用いて、上蓋と電気回路板との間に絶縁素子を設けることを特徴とする、請求項２記載の引出し式メモリ装置コネクタ。
【請求項５】
ケース体が引き出し溝に対応する側に摺動溝を設け、引き出しが前記の摺動溝に対応する場所に、それぞれ摺動塊を設けることを特徴とする、請求項１記載の引出し式メモリ装置コネクタ。
【請求項６】
ケース体の外形はＳＤカードに類似することを特徴とする請求項１記載の引出し式メモリ装置コネクタ。
【請求項７】
メモリ装置はＭＩＲＣＯ ＳＤカードとＭＭＣ  ＭＩＲＣＯカードを含まれることを特徴とする請求項６記載の引出し式メモリ装置コネクタ。
【請求項８】
引き出しは固定スロット底面に対応する場所に、メモリ装置と端子組と直接に電気接続するための通過孔を設けることを特徴とする請求項１記載の引出し式メモリ装置コネクタ。
【考案の詳細な説明】
【技術分野】
【０００１】
本考案による引出し式記憶装置コネクタは、記憶装置変換接続技術、特に一種の引出し構造と複数の異なる規格のメモリ装置による整合変換接続技術に関わるものである。
【背景技術】
【０００２】
記憶装置の用途はデジタルカメラ、携帯電話、パソコン、ＰＤＡ、ＭＰ３など極めて幅広い。しかしながら、現在市販のメモリ装置の種類が多いほか、その例として、ＣＦカード、ＳＤカード、Ｍｉｃｒｏ ＳＤカード、Ｍｉｎｉ ＳＤカード、ＭＭＣ  Ｍｉｃｒｏカードなどがあるように、各メーカの記憶装置の寸法、規格も異なる。このため、同じ規格、寸法の記憶装置は異なる電子製品での共用性問題が発生する。
【０００３】
一方、外観の規格と寸法が異なるメモリ装置の読み取りパターンと変換接続する電気回路は、一定の許容性を有する。その例として、ＳＤカード、Ｍｉｃｒｏ ＳＤカード、ＭＭＣ  ｍｉｃｒｏカードなど、またはＭＳ  ＰｒｏカードとＭＳ  Ｐｒｏ Ｄｕｏカードなど、その差異はメモリ装置本体の寸法の違いのみ。
【０００４】
よって、記憶装置を様々な寸法と規格に変換接続するため、各業者ともメモリ装置変換接続用のコネクタ、すなわち、変換接続カードまたはスロットの開発を競っている。しかしながら、公知技術のコネクタ、変換接続カードまたはスロットの形について、コネクタの一端にスロットを設けた上、メモリ装置をそのスロットよりソケットに挿入することにより、変換接続効果を実現する。またはコネクタの上部にスロットを設け、そのスロットに引き起し式カートリッジ体を設けて、メモリ装置をそのカートリッジに挿入した後、そのカートリッジにより、メモリ装置をスロットに固定し、メモリ装置の変換接続効果を実現する。
【０００５】
公知技術のメモリ装置は変換接続するとき、メモリ装置はスロットまたはカートリッジに直接挿入するため、メモリ装置の外部に磨耗しやすい。さらに、一部のメモリ装置構造が薄い場合、挿抜するとき、挿抜方法の間違いまたは作用力の不適切により、メモリ装置を破壊し、メモリ装置内部に備える部品の堅牢性に影響してしまう。
【０００６】
また、メモリ装置を変換接続するとき、一つのコネクタは規定大きさのメモリ装置に変換接続することができる。二種類の異なる規格メモリ装置に変換接続できない。このため、利用者は二種類の異なる規格メモリ装置に変換接続するとき、二種類以上のコネクタを購入しなければ、変換接続ができないため、利用者は二種類以上のコネクタを同時に用意し携帯することに強いられる。
【考案の開示】
【考案が解決しようとする課題】
【０００７】
本考案者は前記した公知技術の種々問題に鑑みて、一種の操作に破損しにくいメモリ装置、かつ、複数の異なる寸法、規格のメモリ装置を整合し変換接続可能なコネクタの提供を本考案の主な目的とする。
【０００８】
本考案による引出し式メモリ装置コネクタは主に、ケース体に引き出し溝および複数の電気導通片窓を設ける。電気回路板をケース体内部に設け、電気導通片窓の相対位置に電気導通片を設ける。一つ以上の端子組を引き出し溝内部に設け、他端は電気回路板と電気接続する。引き出しを引き出し溝内部に設け、該引き出しにメモリ装置を挿入後、メモリ装置と端子組と電気接続する固定スロットを設ける。
【０００９】
前記のケース体はさらに、上蓋とこの上蓋を被せる下蓋を設け、上蓋と下蓋の材質はプラスチック材を用いる。または、その上蓋の材質は金属材を使用しても良い。ただし、この場合上蓋と電気回路板との間に絶縁素子を設ける。
【００１０】
前記の引き出しの繰り出しをより安定、順調を図るため、ケース体は両側の引き出し溝に合わせて摺動溝を設ける。引き出しは前記の摺動溝に合わせて、摺動塊を設ける。
【課題を解決するための手段】
【００１１】
請求項１の考案は、ケース体、電気回路板、一つ以上の端子組及び引き出しを含み、
ケース体は引き出し溝および複数の電気導通片窓を設け、
電気回路板はケース体内部に設け、電気導通片窓の相対位置に電気導通片を設け、
端子組はその一端は引き出し溝内部に設け、他端は電気回路板と電気接続し、
引き出しは引き出し溝に設け、該引き出しに一つ以上のメモリ装置と端子組と組み合わせるための固定スロットを設けることを特徴とする一種の引出し式メモリ装置コネクタとしている。
請求項２の考案は、ケース体に上蓋およびこの上蓋が被せるための下蓋を設けることを特徴とする、請求項１記載の引出し式メモリ装置コネクタとしている。
請求項３の考案は、上蓋と下蓋はプラスチック材を使用することを特徴とする請求項２記載の引出し式メモリ装置コネクタとしている。
請求項４の考案は、上蓋は金属材を用いて、上蓋と電気回路板との間に絶縁素子を設けることを特徴とする、請求項２記載の引出し式メモリ装置コネクタとしている。
請求項５の考案は、ケース体が引き出し溝に対応する側に摺動溝を設け、引き出しが前記の摺動溝に対応する場所に、それぞれ摺動塊を設けることを特徴とする、請求項１記載の引出し式メモリ装置コネクタとしている。
請求項６の考案は、ケース体の外形はＳＤカードに類似することを特徴とする請求項１記載の引出し式メモリ装置コネクタとしている。
請求項７の考案は、メモリ装置はＭｉｃｒｏ ＳＤカードとＭＭＣ  Ｍｉｃｒｏカードを含まれることを特徴とする請求項６記載の引出し式メモリ装置コネクタとしている。
請求項８の考案は、引き出しは固定スロット底面に対応する場所に、メモリ装置と端子組と直接に電気接続するための通過孔を設けることを特徴とする請求項１記載の引出し式メモリ装置コネクタとしている。
【考案の効果】
【００１２】
本考案の実施により、以下およびその他効果を実現できる、
（１）メモリ装置を引き出しに挿入した上、引き出しを引き出し溝に押し込むことで、メモリ装置の挿入または繰り出しによる破損問題は避けられる。
（２）本考案は同じ規格、寸法のメモリ装置の変換接続のほか、あらかじめに他の二種類以上規格、寸法の異なるメモリ装置を入れ換えて取り付けるための固定スロットを設けて、二種類の規格、寸法の異なるメモリ装置の変換接続に備える。
（３）電気回路板を設けて、複雑な端子組の電気接続に備える。
【考案を実施するための最良の形態】
【００１３】
図１から図３に示すとおり、本考案の実施例１の構造は主に、
上蓋２０、電気回路板３０、端子組４０、引き出し５０、および下蓋６０より構成する。
【００１４】
そのうち、該上蓋２０と下蓋６０はプラスチック材を使用しても良い。組み立て後、ケース体を構成する。この実施例において、該ケース体の外形はＳＤカードの形状を設ける。
【００１５】
該下蓋６０に引き出し溝６１および下蓋６０を貫通する複数の電気導通片窓６２を設け、該引き出し溝６１の両側に摺動溝６３を設ける。前記の電気回路板３０、それぞれの端子組４０および引き出し５０は上蓋２０と下蓋６０の間に収容する。
【００１６】
前記の電気回路板３０の電気導通片窓６２の相対位置に複数の電気導通片３１を設けて、電気導通片３１を電気導通片窓６２それぞれに突き出して設ける。
【００１７】
前記の端子組４０は本実施例において、第１端子組４１および第２端子組４２を設け、各端子組４０の一端は引き出し溝６１に設け、他端は電気回路板３０と電気接続する。
【００１８】
前記の引き出し５０に少なくともメモリ装置を取り付けるための固定スロットを設け、この実施例において、第１スロット５１と第２スロット５２を設ける。該第１スロット５１はＭｉｃｒｏ ＳＤカードの取り付けに備え、第２スロット５２はＭＭＣ  Ｍｉｃｒｏカードの取り付けに備える。さらに、第１スロット５１と第２スロット５２は引き出し溝６１の隣接側に、それぞれ貫通孔５３を設け、該貫通孔５３は各端子組４０にそれぞれ対応する。該引き出し５０は引き出し溝６１の摺動溝６３に沿って繰り出しと押さえ込みにより、開閉効果を実現できる。
【００１９】
図４と図５に示すとおり、該引き出し５０は引出し式メモリ装置コネクタ１０の内部に設け、該引き出し５０は引出し式メモリ装置コネクタ１０内部を繰り出しまたは押さえ込むことができる。引き出し５０を繰り出したとき、Ｍｉｃｒｏ ＳＤカードまたはＭＭＣ  Ｍｉｃｒｏカードを第２スロット５２に取り付けて、メモリ装置コネクタ１０と電気接続する。
【００２０】
図６に示すとおり、引き出し５０の第１スロット５１にＭｉｃｒｏ ＳＤカード７０を取り付けるとき、引き出し５０により、Ｍｉｃｒｏ ＳＤカード７０を下蓋６０に備える引き出し溝６１内部に押し込み、貫通孔５３に対応する端子組４０とＭｉｃｒｏ ＳＤカード７０と電気接続の効果を実現する。さらに、第１端子組４１を介して電気回路板３０と電気接続することにより、Ｍｉｃｒｏ ＳＤカード７０に変換接続する。
【００２１】
図７に示すとおり、引き出し５０の第２スロット５２にＭＭＣ  Ｍｉｃｒｏカード８０を取り付けるとき、引き出し５０により、ＭＭＣ  Ｍｉｃｒｏカード８０を下蓋６０に備える引き出し溝６１内部に押し込み、貫通孔５３に対応する端子組４０とＭＭＣ  Ｍｉｃｒｏカード４２と電気接続の効果を実現する。さらに、第２端子組４２を介して電気回路板３０と電気接続することにより、ＭＭＣ  Ｍｉｃｒｏカード８０に変換接続する。
【００２２】
引き続き、図２と図８に示すとおり、引き出し５０が引き出し溝６１における引き出しと押し込み操作により、脱落を防止するため、引き出し溝６１の片側に摺動溝６３を設け、引き出し５０両側の摺動溝６３に対応する外側に、摺動溝６３に対応する摺動塊５４を設ける。
【００２３】
利用者による引き出し５０の繰り出しの利便性を図るため、引き出し５０の外側はさらに、繰り出し切り込み部５５を設け、この繰り出し切り込み部５５により、受力点を強化させ、引き出し５０引き出し溝６１内部からたやすく引き出す。
【００２４】
図８と図９に示すとおり、該引き出し５０の側面に摺動塊５４を設け、該摺動塊５４を摺動溝６３内部に制限しておくことにより、引き出し５０は引き出し溝６１内部で繰り出し操作するとき、該引き出し５０の移動空間は摺動溝６３の長さによって制限しておく、利用者が引き出し５０を繰り出すときに、引き出し５０の抜け出しを防止するドを第２スロット５２に取り付けて、メモリ装置コネクタ１０と電気接続する。
【００２５】
図１０に示すものは、本考案による実施例２である。そのうち、上蓋２０は金属材より構成するため、金属材の上蓋２０と電気回路板３０との電気干渉を防止するため、上蓋２０と電気回路板３０との間に絶縁材９０を設けて、この絶縁材９０により、電気回路板３０と上蓋２０との仕切り効果を実現する。
【００２６】
このほか、該上蓋２０が引き出し５０の第１スロット５１に対応する場所はさらに、凹み部２１を設け、該凹み部２１は該第１スロット５１の上部に設ける。これにより、Ｍｉｃｒｏ ＳＤカードを第１スロット５１内部に取り付けた後、該凹み部２１によって、Ｍｉｃｒｏ ＳＤカードの上部に係止められて、Ｍｉｃｒｏ ＳＤカードをより確実に固定できるほか、Ｍｉｃｒｏ ＳＤカードと端子組４０との接触面積を増やせる。
【図面の簡単な説明】
【００２７】
【図１】本考案実施例１の正面概略図である。
【図２】本考案実施例１の分解概略図である。
【図３】本考案実施例１の背面概略図である。
【図４】本考案実施例１の使用態様図である。
【図５】本考案実施例２の使用態様図である。
【図６】本考案実施例１における、Ｍｉｃｒｏ ＳＤ挿入後の概略図である。
【図７】本考案実施例１における、ＭＭＣ ＳＤ挿入後の概略図である。
【図８】本考案実施例１の使用態様図である。
【図９】本考案実施例１の第２使用態様断面概略図である。
【図１０】本考案実施例２の分解概略図である。
【符号の説明】
【００２８】
１０  引出し式記憶装置コネクタ
２０  上蓋
２１  凹み部
３０  電気回路板
３１  電気導通片
４０  端子組
４１  第１端子組
４２  第２端子組
５０  引出し
５１  第１スロット
５２  第２スロット
５３  通過孔
５４  摺動塊
５５  繰り出し切り込み部
６０  下蓋
６１  引出し溝
６２  電気導通片窓
６３  摺動溝
７０  Ｍｉｃｒｏ ＳＤカード
８０  ＭＭＣ  Ｍｉｃｒｏカード
９０  絶縁部材
【図１】
0003123701.tif 000003
【図２】
0003123701.tif 000004
【図３】
0003123701.tif 000005
【図４】
0003123701.tif 000006
【図５】
0003123701.tif 000007
【図６】
0003123701.tif 000008
【図７】
0003123701.tif 000009
【図８】
0003123701.tif 000010
【図９】
0003123701.tif 000011
【図１０】
0003123701.tif 000012